(57)【要約】【課題】  見栄えよくパネルを天板上に立設でき、かつ天板上を広く使えるパネルの取付構造を提供する。【解決手段】  天板６上にパネル７を立設させるためのパネル７の取付構造において、天板６には、パネル７の断面と略同一形状をなすスリット孔３が貫通され、天板６の下面には、垂設板５が設けられており、この垂設板５の上端面には、切欠部１３と挟持板１４で凹溝が形成されるとともに、この凹溝がスリット孔３の直下に配置されており、パネル７の下端部を、スリット孔３に挿入して凹溝に取り付けた。【選択図】  図４
2006346083.tif 000002
【特許請求の範囲】
【請求項１】
天板上にパネルを立設させるためのパネルの取付構造において、前記天板には、前記パネルの断面と略同一形状をなすスリット孔が貫通され、前記天板の下面には垂設板が設けられ、前記スリット孔の直下に位置する前記垂設板の上端面に凹溝が形成され、前記パネルの下端部を、前記スリット孔に挿入して前記凹溝に取り付けたことを特徴とするパネルの取付構造。
【請求項２】
前記凹溝が、前記垂設板の上部に形成した段状の切欠部と、該切欠部に嵌合される挟持板によって構成されており、前記パネルを前記切欠部と前記挟持板との間に挟持させる請求項１に記載のパネルの取付構造。
【請求項３】
前記挟持板と前記パネルと前記垂設板とに、螺合部材が挿設される貫通孔が形成されており、該貫通孔に挿設された前記螺合部材によって、前記パネルが、前記挟持板と前記垂設板との間に挟持されている請求項２に記載のパネルの取付構造。
【請求項４】
前記パネルの少なくとも前後いずれかの面に、鏡が取り付けられた請求項１ないし３のいずれかに記載のパネルの取付構造。
【請求項５】
前記パネルが、前記天板の中央部を２つに仕切るように立設され、該パネルの両面に、鏡が取り付けられた請求項１ないし４のいずれかに記載のパネルの取付構造。
【請求項６】
前記天板が、前記スリット孔を中心に２つに分割できる請求項１ないし５のいずれかに記載のパネルの取付構造。
【請求項７】
前記垂設板の左右両側が、側板に固着されており、前記垂設板と前記両側板が、平面視で略Ｈ形状に配置される請求項１ないし６のいずれかに記載のパネルの取付構造。
【請求項８】
前記パネルが、アクリル樹脂で形成されている請求項１ないし７のいずれかに記載のパネルの取付構造。
【発明の詳細な説明】
【技術分野】
【０００１】
本発明は、天板上に立設されるパネルの取付構造に関する。
【背景技術】
【０００２】
従来、机やテーブル等の天板上にパネルを立設させる取付構造には、机の天板の縁部を挟持できるクランプを、ボード（パネル）の下端に設けて、このクランプを天板の縁部に取り付けることによって、天板の縁部にボード（パネル）を立設させるようにしている（例えば、特許文献１参照）。
【０００３】
【特許文献１】特開２００２−２６２９４４号公報（第２頁、第１図）
【発明の開示】
【発明が解決しようとする課題】
【０００４】
しかしながら、特許文献１にあっては、ボード（パネル）を天板上に立設させる際に、ボード（パネル）の下端に設けられたクランプなどの固定手段が天板上に露出されるので、机やテーブル等の見栄えが悪くなり、かつクランプが取り付けられる天板の縁部の面積がクランプによって占有されてしまう。
【０００５】
本発明は、このような問題点に着目してなされたもので、見栄えよくパネルを天板上に立設でき、かつ天板上を広く使えるパネルの取付構造を提供することを目的とする。
【課題を解決するための手段】
【０００６】
前記課題を解決するために、本発明の請求項１に記載のパネルの取付構造は、
天板上にパネルを立設させるためのパネルの取付構造において、前記天板には、前記パネルの断面と略同一形状をなすスリット孔が貫通され、前記天板の下面には垂設板が設けられ、前記スリット孔の直下に位置する前記垂設板の上端面に凹溝が形成され、前記パネルの下端部を、前記スリット孔に挿入して前記凹溝に取り付けたことを特徴としている。
この特徴によれば、下端が垂設板の凹溝に取り付けられたパネルが、天板に貫通されたパネルの断面と略同一形状をなすスリット孔から立設されるので、天板上を広く使えるとともに、凹溝が形成された垂設板は天板上に露出されないので、見栄えよくパネルを天板上に立設できる。
【０００７】
本発明の請求項２に記載のパネルの取付構造は、請求項１に記載のパネルの取付構造であって、
前記凹溝が、前記垂設板の上部に形成した段状の切欠部と、該切欠部に嵌合される挟持板によって構成されており、前記パネルを前記切欠部と前記挟持板との間に挟持させることを特徴としている。
この特徴によれば、垂設板を切り欠いて、その切欠部にパネルを当接させ、挟持板を用いてパネルを挟持できるので、垂設板の製造時に、一条の凹溝を垂設板の上端面に深く形成する場合よりも効率よく凹溝を垂設板に形成できる。
【０００８】
本発明の請求項３に記載のパネルの取付構造は、請求項２に記載のパネルの取付構造であって、
前記挟持板と前記パネルと前記垂設板とに、螺合部材が挿設される貫通孔が形成されており、該貫通孔に挿設された前記螺合部材によって、前記パネルが、前記挟持板と前記垂設板との間に挟持されていることを特徴としている。
この特徴によれば、挟持板、パネル、垂設板が、ボルトとナットなどの螺合部材によって取り付けられるので、強固にパネルを垂設板に取り付けることができる。
【０００９】
本発明の請求項４に記載のパネルの取付構造は、請求項１ないし３のいずれかに記載のパネルの取付構造であって、
前記パネルの少なくとも前後いずれかの面に、鏡が取り付けられたことを特徴としている。
この特徴によれば、パネルに鏡が取り付けられるので、鏡を備えたカウンタとして利用できる。
【００１０】
本発明の請求項５に記載のパネルの取付構造は、請求項１ないし４のいずれかに記載のパネルの取付構造であって、
前記パネルが、前記天板の中央部を２つに仕切るように立設され、該パネルの両面に、鏡が取り付けられたことを特徴としている。
この特徴によれば、パネルの両面に鏡が取り付けられ、且つ天板の中央部がパネルによって２つに仕切られるので、両側から同時に使用者が対面利用できる鏡を備えたカウンタとして用いることができる。
【００１１】
本発明の請求項６に記載のパネルの取付構造は、請求項１ないし５のいずれかに記載のパネルの取付構造であって、
前記天板が、前記スリット孔を中心に２つに分割できることを特徴としている。
この特徴によれば、天板の製造時に、天板が前後方向あるいは左右方向に分割した状態でスリット孔を天板に形成できるので、効率よく天板を製造できる。
【００１２】
本発明の請求項７に記載のパネルの取付構造は、請求項１ないし６のいずれかに記載のパネルの取付構造であって、
前記垂設板の左右両側が、側板に固着されており、前記垂設板と前記両側板が、平面視で略Ｈ形状に配置されることを特徴としている。
この特徴によれば、側板と垂設板が平面視で略Ｈ形状に配置されることで、パネルが取り付けられる凹溝が形成された垂設板をバランスよく、且つ安定して配置でき、重量があるパネルであっても垂設板で支持できる。
【００１３】
本発明の請求項８に記載のパネルの取付構造は、請求項１ないし７のいずれかに記載のパネルの取付構造であって、
前記パネルが、アクリル樹脂で形成されていることを特徴としている。
この特徴によれば、アクリル樹脂を使用することで、薄くて丈夫なパネルを形成できる。
【発明を実施するための最良の形態】
【００１４】
本発明に係るパネルの取付構造を実施するための最良の形態を実施例に基づいて以下に説明する。
【実施例】
【００１５】
本発明の実施例を図面に基づいて説明すると、先ず図１は、本発明のパネルの取付構造が適用されたカウンタを示す斜視図であり、図２（ａ）は、カウンタを示す正面図であり、図２（ｂ）は、カウンタを示す側面図であり、図３は、カウンタを示す平面図であり、図４は、図２におけるカウンタを示すＡ−Ａ縦断側面図であり、図４（ａ）は、パネルを取り付けるときの図であり、図４（ｂ）は、パネルを取り付けた状態を示す図である。以下、図２（ａ）の紙面手前側をカウンタの正面側（前方側）、図２（ｂ）では、左側をカウンタの正面側（前方側）、図３では、下方側をカウンタの正面側（前方側）、図４では、左側をカウンタの正面側（前方側）として説明する。
【００１６】
図１の符号１は、化粧品等を販売する店舗内に設置されるカウンタであり、このカウンタ１の前後両側に２つの椅子２が配置されている。このカウンタ１は床面上に立設される２つの側板４と、これらの側板４の間に配置された垂設板５とを有しており、側板４と垂設板５の上端には、円盤状の天板６が支持されている。
【００１７】
図２（ｂ）に示すように、天板６上には、スリット孔３が形成されており、このスリット孔３からパネル７が垂直に立設されている。パネル７の上部の前後両側には鏡取付金具９が設けられており、この鏡取付金具９によってパネル７の前後両面に、鏡８がパネル７に取り付けられている。この鏡８はカウンタ１を使用する客（使用者）が、店舗で販売する試供品等を試用するときに利用できるようになっている。
【００１８】
天板６の下方側の前後両側には、パンフレットなどの載置物を載置しておくための棚板１０が取り付けられている。尚、天板６や鏡８が取り付けられたパネル７は、使用者が椅子２に座った状態で利用し易い高さに配置されている。
【００１９】
更にカウンタ１について詳述すると、図２（ａ）及び図２（ｂ）に示すように、垂設板５の左右端部は、側板４の中央部にダボ１１ａによって連結されるとともに、側板４の上端部は、天板６の下面にダボ１１ｂによって連結されている。そして、図３に示すように、側板４と垂設板５が平面視で略Ｈ形状に配置されるようになっている。
【００２０】
図４（ａ）に示すように、側板４には、内面側の前後方向の全長に渡って棚板１０の厚みとほぼ同じかやや広い上下幅を有する溝部１２が形成されており、天板６の下方に配置される棚板１０は、その左右両側端部が、側板４の溝部１２に嵌合されることで取り付けられる。尚、棚板１０は半透明のアクリル樹脂で形成されており、アクリル樹脂を使用して棚板１０を形成することで、薄くて丈夫な棚板１０を形成できるようになっている。
【００２１】
図３に示すように、天板６は平面視で左右方向に長い楕円形状をなしており、この天板６の上面は、立設されたパネル７によって前後にほぼ均等に仕切られている。前後両面に鏡８が取り付けられたパネル７によって、同時に２人の使用者が鏡８を備えたカウンタ１として利用でき、且つカウンタ１が前後両側から対面利用できるので使い勝手がよくなっている。
【００２２】
図３に示すように、天板６の前後方向の中央部には、パネル７の横断面とほぼ同じ形状、若しくはパネル７の横断面よりもやや広い面積を有する横長のスリット孔３が形成され、このスリット孔３は天板６を貫通している。天板６はこのスリット孔３を中心として前後方向あるいは左右方向に分割できるようになっている。そのため天板６の製造時に、天板６が前後方向あるいは左右方向に分割した状態でスリット孔３を天板６に形成できるので、効率よく天板６を製造できる。
【００２３】
尚、本実施例では、前方に配置された天板６の後辺を矩形状に切り欠くことで、前後の天板６が連結されたときに、スリット孔３が形成されるようになっており、このようにすれば、前方の天板６のみに加工を施せばよいので、スリット孔３を形成する作業を簡素化できる。
【００２４】
図４（ａ）に示すように、垂設板５の上部には、前面側が切り欠かれるように形成された段状の切欠部１３が設けられている。この切欠部１３は垂設板５の左右方向の全長に渡って形成されている。また、切欠部１３に前方から嵌合される挟持板１４が設けられている。
【００２５】
カウンタ１の組立時には、垂設板５が天板６の下面の前後方向の中央部に配置され、切欠部１３がスリット孔３の直下に配置される。そして、天板６の上面からスリット孔３を介してパネル７が挿入され、そのパネル７の下端が、切欠部１３の段部に当接されるようになっている。
【００２６】
また、図４（ａ）に示すように、挟持板１４と、パネル７の下部と、切欠部１３が形成された垂設板５には、それぞれにボルト１５が挿設される複数の貫通孔５ａ，７ａ，１４ａが形成されている。切欠部１３の段部にパネル７が当接されると、パネル７の下部は、前方から切欠部１３に嵌合された挟持板１４に挟持され、挟持板１４とパネル７と垂設板５に形成された貫通孔５ａ，７ａ，１４ａにボルト１５が挿設される。ボルト１５は垂設板５の後面側に配置されたナット１６に螺合されるようになっており、このボルト１５とナット１６に締め付けられることによって、パネル７が垂設板５とに強固に取り付けられる。
【００２７】
尚、垂設板５に形成されたき切欠部１３と挟持板１４とで本発明の凹溝が構成されており、そのため垂設板５の製造時に、一条の凹溝を垂設板５の上端面に深く形成する場合よりも効率よく凹溝を垂設板５に形成できるようになっている。更に、切欠部１３と挟持板１４に挟み込むことで、パネル７の下部を容易に凹溝に取り付けられる。
【００２８】
また、パネル７は半透明のアクリル樹脂で形成されており、アクリル樹脂を使用してパネル７を形成することで、薄くて丈夫なパネル７を形成でき、半透明であることでパネル７に光を通過させても、天板６よる影が作られず、天板６上の載置物を照らすことができるようになっている。
【００２９】
図４（ｂ）に示すように、垂設板５に取り付けられたパネル７は、天板６に貫通されたパネル７の横断面と略同一形状をなすスリット孔３から立設されるので、天板６上の面積がパネル７の横断面積と同じ面積しか占有されずに済むようになり、天板６上を広く使用できる。更に、切欠部１３が形成されてパネル７の下部が取り付けられた垂設板５は天板６上に露出されないので、見栄えよくパネル７を天板６上に立設できるようになっている。
【００３０】
更に図３に示すように、側板４と垂設板５が平面視で略Ｈ形状に配置されることで、パネル７が取り付けられる切欠部１３が形成された垂設板５をバランスよく、且つ安定して配置でき、重量があるパネル７を使用したり、大きな鏡８を取り付けたパネル７を使用したりしても垂設板５で支持できるようになっている。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
前記実施例では、本発明のパネル７の取付構造が、化粧品の販売店舗に設置される鏡８を備えたカウンタ１に適用されていたが、本発明はこれに限定されるものではなく、一般家庭で使用される箪笥等の什器類にパネル７を取り付けるときに適用してもよい。
【００３３】
また、前記実施例ではカウンタ１の前後両面からの対面利用が可能なように、パネル７の前後両側に鏡８を設けた例で説明したが、パネル７の前後両面の内、いずれか一方の面に鏡８を取り付けたカウンタ１であってもよい。
【００３４】
前記実施例ではパネル７を取り付ける垂設板５の上端面に形成した凹溝は、切欠部１３と挟持板１４とで構成されているが、これに代えて上端面に一条の凹溝を形設するようにしても構わない。
【００３５】
更に前記実施例ではパネル７により天板６を前後に仕切るようにしているが、特にこの仕切方式に限定されるものではなく、パネル７により天板６を左右に仕切るようにしてもよい。
【図面の簡単な説明】
【００３６】
【図１】本発明のパネルの取付構造が適用されたカウンタを示す斜視図である。
【図２】（ａ）は、カウンタを示す正面図であり、（ｂ）は、カウンタを示す側面図である。
【図３】カウンタを示す平面図である。
【図４】図２におけるカウンタを示すＡ−Ａ縦断側面図であり、（ａ）は、パネルを取り付けるときの図であり、（ｂ）は、パネルを取り付けた状態を示す図である。
【符号の説明】
【００３７】
１                カウンタ
２                椅子
３                スリット孔
４                側板
５                垂設板
５ａ              貫通孔
６                天板
７                パネル
７ａ              貫通孔
８                鏡
９                鏡取付金具
１０              棚板
１１ａ，１１ｂ    ダボ
１２              溝部
１３              切欠部（凹溝）
１４              挟持板（凹溝）
１４ａ            貫通孔
１５              ボルト（螺合部材）
１６              ナット（螺合部材）
【図１】
2006346083.tif 000003
【図２】
2006346083.tif 000004
【図３】
2006346083.tif 000005
【図４】
2006346083.tif 000006